(57)【特許請求の範囲】
【請求項１】
元画像に相当する画像データを所定の処理により画像変換する画像変換手段と、前記画像データ若しくは前記画像変換手段により変換された変換画像データを表示する画像表示手段と、を少なくとも備える画像表示装置から前記画像表示手段に表示される表示画像の印刷指示を受けて印刷媒体に、前記印刷指示を受けた前記表示画像の印刷を実行する画像印刷装置であって、
印刷すべき画像データが前記画像変換手段により変換された変換画像データであるか否かを判別すると共に、印刷すべき前記画像データが前記変換画像データであるとき該変換画像データに対応する変換画像の種類を判別する判別手段と、
前記変換画像の種類に応じた付加画像データを記憶する記憶手段と、
前記判別手段により印刷すべき画像データが変換画像データであると判別した場合に、前記記憶手段から前記変換画像データに対応する付加画像データを読み出して前記変換画像データの印刷と重ね印刷するよう制御する印刷制御手段と、
を備えることを特徴とする表示画像印刷装置。
【請求項２】
前記付加画像データは、画布の地を顕わす糸模様の画像データである、ことを特徴とする請求項１記載の画像印刷装置。
【請求項３】
前記画布の地は、織り方別、織り糸の太さ別、打ち込み数別、に分類されている、ことを特徴とする請求項２記載の画像印刷装置。
【請求項４】
前記付加画像データは、画用紙の表面の繊維組織の地模様を顕わす画像データである、ことを特徴とする請求項１記載の画像印刷装置。
【発明の詳細な説明】
【技術分野】
【０００１】
本発明は、表示画像印刷装置に係わり、更に詳しくは、デジタル写真を絵画調の画像に変換して表示する特殊な機能を有するデジタルフォトフレームの表示画像を印刷出力する表示画像印刷装置に関する。
【背景技術】
【０００２】
近年、デジタルカメラの普及により、デジタルデータで記録された写真画像を得ることが一般的となっている。この場合、撮影された写真画像は、撮影したデジタルカメラの表示面に表示して閲覧したり、デジタルカメラからデジタル画像データとして取り込んだパーソナルコンピュータなどに表示して閲覧したりすることができる。
【０００３】
このため、デジタル写真の楽しみ方にも変化が生じてきている。例えば、従来のプリント写真を棚や机上などに展示するフォトフレームのように、撮影されたデジタル写真を展示して楽しむための装置として、所謂デジタルフォトフレーム（以下、ＤＰＦという。）が実現され商品化されている。
【０００４】
このＤＰＦは、デジタル写真用のフォトフレームという位置付けで発売されており、外観も概ねフォトフレームに似せて作製されている。但し表示部は液晶ディスプレイで構成されている場合が多い。また、その背面や側面にメモリーカードを挿入するスロットがあるのが一般的である。
【０００５】
このようなＤＰＦでは、デジタル方式の特性を活かし、従来のプリント写真を単に展示するだけのフォトフレームでは出来なかったことが出来る。例えば、メモリカード内に保存された映像ファイルを適宜選択して表示したり、複数の写真を自動的に呼び出してスライドショー形式で表示するなどの多様な展示態様を実現することができる。
【０００６】
また、表示対象の写真を、特定の効果を与えることによって、人が書いたような絵画風の画像（以下、絵画風画像という）に変換する機能を備えたものも提案されている。（例えば、特許文献１参照。）
【０００７】
尚、このようにデジタル写真に特定の効果を与えてデジタル写真を変換することを、以下、アート変換と言い、このような変換機能を備えるＤＰＦをデジタルアートフレーム（ＤＡＦ）と言うことにする。
【０００８】
また、様々なタイプのメモリーカードに対応したスロットや内蔵フラッシュメモリを備え、ＵＳＢメモリに対応したＤＰＦ製品もある。さらに、無線通信（Bluetoothや無線ＬＡＮ）などのネットワーク機能を持ったＤＰＦ製品もある。
【０００９】
これらは、ピクトブリッジと呼ばれるソフトウエアによって実現される。このピクトブリッジは、デジタルカメラやプリンタをＵＳＢケーブルで直接接続し、デジタルカメラで撮影した画像をパソコンを介さずに印刷したり、専用機器で表示、加工したりする標準規格となっている。
【００１０】
一方、そのようにデジタルデータで記録された写真画像を従来のようにプリント写真として得るために、パーソナルコンピュータを介して或いは直接にプリンタからプリントアウトすることも行われている。
【００１１】
周知のプリンタ方式としては、電子写真方式、熱転写方式、インクジェット方式があり、それぞれの長所・短所に基づいて使い分けされている。近年、フォトプリンタと呼ばれるデジタル写真画像用の印刷に特化した製品も出てきたが、印刷方式としては上記いずれかを採用している。
【００１２】
そこで、上記ＤＰＦとフォトプリンタとの両機能を備える商品も出てきているが、いずれにせよ、これらプリンタは上位装置(パソコンや上記ＤＰＦ等)からの画像信号に従って忠実に印刷を行うべく構成されている。
【００１３】
なお、印刷物としては、光沢度（グロス値）の高いカレンダー状の画像印刷とオフィス用としての白黒文書画像印刷とがある。そして、これらを仕分け印刷できるよう考慮された電子写真プリンタも提案されている。（例えば、特許文献２、３、４、５参照。）
【００１４】
また、絵画調変換では、写真印刷装置において、ノイズ発生器により画像に絵画調効果を付与して印刷するものや、実際の油絵に近い絵画調を表現するためにキャンバス加工処理を行うもの、あるいは、絵画風の重厚感のある画像形成を行うべく、特殊加工したシートに輪郭強調データに基づいてゲル状塗料を塗布して凹凸を形成させるものなども提案されている。（例えば、特許文献６、７、８参照。）
【００１５】
なお、従来のプリンタにおいて、帳票のような使用頻度の高い文書形式を予めメモリーに格納しておき、この文書形式の印刷を上位装置からの印字データと重ねて印刷するようにしたフォームオーバーレイが知られている。
【先行技術文献】
【特許文献】
【００１６】
【特許文献１】特開２００４−２１３５９８号公報
【特許文献２】特開平０７−０３６３０８号公報
【特許文献３】特開平０７−１２０９９６号公報
【特許文献４】特開２００３−０１５４５９号公報
【特許文献５】特開２００２−０８２５０８号公報
【特許文献６】特開平１０−３４１４０３号公報
【特許文献７】特開平０８−０３６６３６号公報
【特許文献８】特許第３９６７０２２号
【発明の概要】
【発明が解決しようとする課題】
【００１７】
ところで、上記のようなＤＰＦにＬＡＮ接続されるプリンタ或いはプリンタ付ＤＰＦ（画像表示部を有するプリンタ）で、通常の写真画像を印刷する場合は問題ない。ところが上述したＤＡＦで絵画調変換したような画像を普通に印刷すると、基本的に光沢度の高いカレンダー状印刷になってしまう。これは特にフォトプリンタでは顕著である。
【００１８】
絵画調のものに変換処理したものの印刷では光沢度は寧ろ無いほうが望ましいにも拘わらず、上記のように折角絵画調のものに変換処理したものを印刷物としたときに光沢があったのでは、違和感があって不満が残るという問題があった。
【００１９】
また、そもそも上記の絵画調変換等の画像変換は、元の写真画像を種々変形、変色させて所望の画像としているだけであり、背景（白地部）に格別の工夫をしているわけではない。
【００２０】
また、上記の特許文献６では、感熱式ビデオプリンタでノイズを付与して絵画調シールプリントを得るものがあるが、高精細写真画像を画像変換して表示するＤＡＦの表示画像を忠実に印刷再現するようには意図されていない。
【００２１】
また、上記の特許文献７では、写真から絵画調画像を生成する処理方法を開示しているが加工方法が複雑で、上記の特許文献６と同様に、ＤＡＦの表示（展示）画像を忠実に印刷再現するようには意図されていない。
【００２２】
本発明は、上記従来の課題を解決するものであって、デジタル写真を絵画調の画像に変換して表示する特殊な機能を有するデジタルフォトフレームの表示画像を印刷出力する表示画像印刷装置を提供することを目的とする。
【課題を解決するための手段】
【００２３】
上記課題を解決するために、本発明の画像印刷装置は、元画像に相当する画像データを所定の処理により画像変換する画像変換手段と、上記画像データ若しくは上記画像変換手段により変換された変換画像データを表示する画像表示手段と、を少なくとも備える画像表示装置から上記画像表示手段に表示される表示画像の印刷指示を受けて印刷媒体に、上記印刷指示を受けた上記表示画像の印刷を実行する画像印刷装置であって、印刷すべき画像データが上記画像変換手段により変換された変換画像データであるか否かを判別すると共に、印刷すべき上記画像データが上記変換画像データであるとき該変換画像データに対応する変換画像の種類を判別する判別手段と、上記変換画像の種類に応じた付加画像データを記憶する記憶手段と、上記判別手段により印刷すべき画像データが変換画像データであると判別した場合に、上記記憶手段から上記変換画像データに対応する付加画像データを読み出して上記変換画像データの印刷と重ね印刷するよう制御する印刷制御手段と、を備えて構成される。
【００２４】
上記付加画像データは、例えば、画布の地を顕わす糸模様の画像データである。この場合、上記画布の地は、例えば、織り方別、織り糸の太さ別、打ち込み数別、に分類されているようにする。また、上記付加画像データは、例えば、画用紙の表面の繊維組織の地模様を顕わす画像データであってもよい。
【発明の効果】
【００２５】
本発明は、デジタル写真を絵画調の画像に変換して表示する特殊な機能を有するデジタルフォトフレームの表示画像を印刷出力する表示画像印刷装置を提供することが可能となるという効果を奏する。
【図面の簡単な説明】
【００２６】
【図１】本発明の実施例１に係る表示画像印刷システムの全体構成の一例を示す図である。
【図２】図１に示したＤＰＦ（デジタルフォトフレーム）の拡大斜視図である。
【図３】図１に示したＤＰＦの制御システムのブロック図である。
【図４】図１に示した電子写真プリンタの外観をより詳細に示す斜視図である。
【図５】図４に示した電子写真プリンタの内部構成を説明する断面図である。
【図６】図４及び図５に示した電子写真プリンタの制御装置を含む回路ブロック図である。
【図７Ａ】図１に示したプリンタ一体型ＤＰＦをより詳細に示す外観斜視図である。
【図７Ｂ】図１及び図７Ａに示すプリンタ一体型ＤＰＦの内部構造を概略的に示す構成図である。
【図８】図７Ｂに示すプリンタ一体型ＤＰＦの内部構造における印刷機構の構成を示す斜視図である。
【図９】図７Ａ及び図７Ｂに示すプリンタ一体型ＤＰＦの制御装置を含む回路ブロック図である。
【図１０】図４及び図５に示した電子写真プリンタの一次転写部において感光体ドラムと転写ベルトの速度差でトナーの塗布量が変化する例を説明する図表である。
【図１１】印刷指示側（送信側）から送信される変換コードに対応する変換画像の種類に望ましい印刷装置側（受信側）の印刷条件の設定例を説明する図表である。
【図１２】(a)は街並みの写真、同図(b)はその写真データを水彩画調に変換された変換画像データを印刷した場合の例を示す図である。
【図１３】(a),(b),(c)は、それぞれ和紙に描かれた水彩画の風合いを表現するためにオーバーレイ印刷される背景画像データの例である。
【図１４】(a),(b)は、油絵に使用されるキャンバス地を表現するためにオーバーレイ印刷される背景画像データの例であり、それぞれ平織と綾織の織り組織の形状を拡大して示す図である。
【図１５】油絵調に変換された変換画像を印刷する際に、麻布のキャンバス地に描かれた油絵の風合いを表現するためにオーバーレイ印刷される背景画像データの例である。
【図１６】実施例１に係る図１に示す表示画像印刷システムの送信側の処理動作を示すフローチャートである。
【図１７】実施例１に係る図１に示す表示画像印刷システムの受信側の処理動作を示すフローチャートである。
【発明を実施するための形態】
【００２７】
以下、本発明の実施の形態について、詳細に説明する。
【実施例１】
【００２８】
図１は、本発明の表示画像印刷システムの全体構成の一例を示す図である。同図は、左上から、ＤＰＦ１、インターネット／イントラネット２へのアクセスポイントとしての無線ＬＡＮルータ３、パーソナルコンピュータ４、外付け無線ＬＡＮ通信装置５の付いた電子写真プリンタ６、インクジェットプリンタ７、ノートパソコン８、プリンタ一体型ＤＰＦ９を示している。
【００２９】
尚、上記のＤＰＦ１、ノートパソコン８、プリンタ一体型ＤＰＦ９は、いずれも無線ＬＡＮ通信装置を内蔵している。
【００３０】
図２は、上記ＤＰＦ１の拡大斜視図である。図２に示すように、フレーム１１と、このフレーム１１の前面に、フレーム１１に四方を囲まれたデジタル画像表示部１２と、デジタル画像表示部１２の下方で左右に分かれて配置された３個の操作ボタン１３（１３ａ、１３ｂ、１３ｃ）を備えている。
【００３１】
また、このＤＰＦ１は、フレーム１１の背面に保護カバーに覆われた画像変換処理部１４を有し、保護カバーの側面には２種類のメモリカード装着部１５が設けられている。また、フレーム１１の背面には支え棒（又は支え板でもよい）１６が設けられている。
【００３２】
また、このＤＰＦ１には、画面に表示されるメニューを見ながら直接３個の操作ボタン１３で種々の操作をしなくても遠隔から操作できるように、リモートコントローラ（以下、リモコンという）１７が備えられている。
【００３３】
図３は、ＤＰＦ１の制御システムのブロック図である。図３に示すように、ＤＰＦ１の制御システムは、制御の中心となるＣＰＵ(central processing unit）１８に、画像変換処理部１４、表示制御部１９、ＲＯＭ(read only memory)２１、ＲＡＭ(Random Access Memory)２２、ネットワーク（外部）データ入出力部２３、読取制御部２４、操作制御部２５が接続されて構成されている。
【００３４】
上記の画像変換処理部１４は、表示中又は記憶装置に記憶する写真画像データ（元画像）から絵画調に変換するＤＡＦ機能を備えている。そして、この変換画像データを他の印刷装置に送信して印刷指示をだす場合には、変換画像に対応する変換コードを画像データに付加する処理を行う。
【００３５】
表示制御部１９には図２に示した表示部１２が接続され、読取制御部２４にはメモリカード装着部１５が接続され、操作制御部２５には３個の操作ボタン１３が接続され、また、リモコン１７が、赤外線、超音波、又はブルートゥースにより無線接続されている。
【００３６】
図４は、図１に示した電子写真プリンタ６の外観をより詳細に示す斜視図である。図４に示すように、電子写真プリンタ６は、前方に取っ手２６を有する前扉２７を備え、その下方に上下二段に分かれた２つの給紙カセット２８を備えている。また、上面のほぼ全面に排紙トレー２９を備え、右手前部に表示パネル３０と操作部３１を備えている。
【００３７】
図５は、上記電子写真プリンタ６の内部構成を説明する断面図である。図５に示す電子写真プリンタ６は、電子写真式で二次転写方式のタンデム型のカラー画像形成装置であり、画像形成部３２、中間転写ベルトユニット３３、給紙部３４、及び両面印刷用搬送ユニット３５で構成されている。
【００３８】
上記画像形成部３２は、同図の右から左へ４個の画像形成ユニット３６（３６Ｍ、３６Ｃ、３６Ｙ、３６Ｋ）を多段式に並設した構成からなる。
【００３９】
上記４個の画像形成ユニット３６のうち上流側（図の右側）の３個の画像形成ユニット３６Ｍ、３６Ｃ及び３６Ｙは、それぞれ減法混色の三原色であるマゼンタ（Ｍ）、シアン（Ｃ）、イエロー（Ｙ）の色トナーによるモノカラー画像を形成し、画像形成ユニット３６Ｋは、主として文字や画像の暗黒部分等に用いられるブラック（Ｋ）トナーによるモノクロ画像を形成する。
【００４０】
上記の各画像形成ユニット３６は、トナー容器（トナーカートリッジ）に収納されたトナーの色を除き全て同じ構成である。したがって、以下ブラック（Ｋ）用の画像形成ユニット３６Ｋを例にしてその構成を説明する。
【００４１】
画像形成ユニット３６は、最下部に感光体ドラム３７を備えている。この感光体ドラム３７は、その周面が例えば有機光導電性材料で構成されている。この感光体ドラム３７の周面近傍を取り巻いて、クリーナ３８、帯電ローラ３９、光書込ヘッド４１、及び現像器４２の現像ローラ４３が配置されている。
【００４２】
現像器４２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備えている。
【００４３】
また、現像器４２の下部には側面開口部に上述した現像ローラ４３を備え、内部にはトナー撹拌部材、現像ローラ４３にトナーを供給するトナー供給ローラ４９、現像ローラ４３上のトナー層を一定の層厚に規制するドクターブレード等を備えている。
【００４４】
中間転写ベルトユニット３３は、本体装置のほぼ中央で図の左右のほぼ端から端まで扁平なループ状になって延在する無端状の転写ベルト４４と、この転写ベルト４４を掛け渡されて転写ベルト４４を図の反時計回り方向に循環移動させる駆動ローラ４５と従動ローラ４６を備えている。
【００４５】
上記の転写ベルト４４は、トナー像を直接ベルト面に転写（一次転写）されて、そのトナー像を更に用紙に転写（二次転写）すべく用紙への転写位置まで搬送するので、ここではユニット全体を中間転写ベルトユニットと言っている。
【００４６】
この中間転写ベルトユニット３３は、上記扁平なループ状の転写ベルト４４のループ内にベルト位置制御機構４７を備えている。ベルト位置制御機構４７は、転写ベルト４４を介して感光体ドラム３７の下部周面に押圧する導電性発泡スポンジから成る一次転写ローラ４８を備えている。
【００４７】
ベルト位置制御機構４７は、マゼンタ（Ｍ）、シアン（Ｃ）及びイエロー（Ｙ）の３個の画像形成ユニット３６Ｍ、３６Ｃ及び３６Ｙに対応する３個の一次転写ローラ４８を鉤型の支持軸を中心に同一周期で回転移動させる。
【００４８】
そして、ベルト位置制御機構４７は、ブラック（Ｋ）の画像形成ユニット３６Ｋに対応する１個の一次転写ローラ４８を上記３個の一次転写ローラ４８の周期と異なる回転移動周期で回転移動させて転写ベルト４４を感光体ドラム３７から離接させる。
【００４９】
すなわち、ベルト位置制御機構４７は、中間転写ベルトユニット３３の転写ベルト４４の位置を、フルカラーモード（４個全部の一次転写ローラ４８が転写ベルト４４に当接）、モノクロモード（画像形成ユニット３６Ｋに対応する一次転写ローラ４８のみが転写ベルト４４に当接）、及び全非転写モード（４個全部の一次転写ローラ４８が転写ベルト４４から離れる）に切換える。
【００５０】
上記の中間転写ベルトユニット３３には、上面部のベルト移動方向最上流側の画像形成ユニット３６Ｍの更に上流側に、ベルトクリーナユニットが配置され、下面部のほぼ全面に沿い付けるように、平らで薄型の廃トナー回収容器５１が着脱自在に配置されている。
【００５１】
給紙部３４は、図４に示した上下２段に配置された２個の給紙カセット２８を備え、２個の給紙カセット２８の給紙口（図の右方）近傍には、それぞれ用紙取出ローラ５２、給送ローラ５３、捌きローラ５４、待機搬送ローラ対５５が配置されている。
【００５２】
待機搬送ローラ対５５の用紙搬送方向（図の鉛直上方向）には、転写ベルト４４を介して従動ローラ４６に圧接する二次転写ローラ５６が配設されて、用紙への二次転写部を形成している。
【００５３】
この二次転写部の下流（図では上方）側にはベルト式熱定着装置５７が配置されて、ベルト式熱定着装置５７の更に下流側には、定着後の用紙をベルト式熱定着装置５７から搬出する搬出ローラ対５８、及びその搬出される用紙を装置上面に形成されている排紙トレー２９に排紙する排紙ローラ対６１が配設されている。
【００５４】
両面印刷用搬送ユニット３５は、上記搬出ローラ対５８と排紙ローラ対６１との中間部の搬送路から図の右横方向に分岐した開始返送路６２ａ、それから下方に曲がる中間返送路６２ｂ、更に上記とは反対の左横方向に曲がって最終的に返送用紙を反転させる終端返送路６２ｃ、及びこれらの返送路の途中に配置された４組の返送ローラ対６３ａ、６３ｂ、６３ｃ、６３ｄを備えている。
【００５５】
上記終端返送路６２ｃの出口は、給紙部３４の下方の給紙カセット２８に対応する待機搬送ローラ対５５への搬送路に連絡している。また、本例において中間転写ベルトユニット３３の上面部には、ベルトクリーナユニットのクリーニング部６４が配置されている。
【００５６】
クリーニング部６４は、転写ベルト４４の上面に当接して廃トナーを擦り取って除去して、図示を省略したベルトクリーナユニットの一時貯留部に溜め込み、その溜め込まれた廃トナーを搬送スクリューにより落下筒内を上部まで搬送し、落下筒を介して廃トナー回収容器５１に送り込んでいる。
【００５７】
図５に示すように、この電子写真プリンタ６は、従来の用紙に直接トナー像を転写する方式ではなく、待機搬送ローラ対５５により二次転写部まで鉛直方向に搬送される用紙に中間転写ベルト４４を介してトナー像を転写する方式となっている。
【００５８】
したがって、用紙の搬送路に発生する用紙ジャム等の不具合を回復するメンテナンス処理時には、図５の右側を開放するのみで対処できるようになっている。
【００５９】
そして、用紙ジャム等の不具合はキット類の配設部では発生しないので、図５の左側に集中するキット類などの消耗品の着脱の操作は、前扉２７（図４参照）を開いて長手方向に入れ替え操作するだけの小さなスペースで良いように構成されている。
【００６０】
図６は、上記の電子写真プリンタ６の制御装置を含む回路ブロック図である。図６に示すように回路ブロックは、ＣＰＵ（central processing unit)６５を中心にして、このＣＰＵ６５に、それぞれデータバスを介してデータ入出力部６６、変換コード比較部６７、及びプリンタ制御部６８が接続されている。このプリンタ制御部６８にはプリンタ印字部６９が接続されている。
【００６１】
また、ＣＰＵ６５には、ＲＯＭ（read only memory）７１、ＥＥＰＲＯＭ（electrically erasable programmable ROM）７２、及び本体操作部の操作パネル３１が接続されている。ＲＯＭ７１には、システムプログラムが記憶され、ＣＰＵ６５は、このシステムプログラムに従って各部を制御して処理を行う。
【００６２】
すなわち、各部において、先ず、データ入出力部６６は、例えばパーソナルコンピュータ等のホスト機器から供給される印字データをビットマップデータに変換し、フレームメモリ７３に展開する。フレームメモリ７３は、ブラック（Ｋ）、マゼンタ（Ｍ）、シアン（Ｃ）、イエロー（Ｙ）ごとに記憶エリアが設定されており、各色のデータが対応するエリアに展開される。
【００６３】
フレームメモリ７３に展開されたデータはプリンタ制御部６８に出力され、プリンタ制御部６８からプリンタ印字部６９に出力される。
【００６４】
プリンタ印字部６９は、エンジン部であり、プリンタ制御部６８からの制御の下で、現像部７４を介し、図５に示した感光体ドラム３７、一次転写ローラ４８等を含む回転駆動系、帯電ローラ３９、光書込ヘッド４１等の被駆動部を有する画像形成部の印加電圧などのプロセス負荷への駆動出力を制御する。
【００６５】
更にプリンタ印字部６９は、定着部７５を介し、ベルト式熱定着装置５７の発熱ローラに内蔵される発熱部への印加電圧、熱伝導ベルトを介して加熱ローラを押圧する加圧ローラの加圧力調整等の各種の制御を行う駆動出力を制御する。
【００６６】
更にプリンタ印字部６９は、中間転写ベルトユニット３３のベルト位置制御機構４７の上下移動や、転写ベルト４４の回転駆動、ベルト式熱定着装置５７の熱伝導ベルトの回転駆動などを行うベルト駆動部７６への駆動出力を制御する。
【００６７】
そして、プリンタ制御部６８は、ブラック（Ｋ）、マゼンダ（Ｍ）、シアン（Ｃ）、イエロー（Ｙ）の各色の画像データをそれぞれ対応する図５に示した光書込ヘッド４１に供給する。現像部７４は、光書込ヘッド４１により画像データに基づいて感光体ドラム３７上に形成された静電潜像を、対応する色のトナーで現像する。
【００６８】
変換コード比較部６７は、他の機器から自装置（電子写真プリンタ６）宛に送信された画像データに添付されているコマンドに、画像形成部３２で形成すべき画像データが元画像から変換された変換画像データであることを示す変換コードが含まれているとき、その変換コードとＥＥＰＲＯＭ７２に記憶している変換コードとを比較して、受信した変換画像データがどの種類の変換画像データであるかを検出する。
【００６９】
図７Ａは、図１に示したプリンタ一体型ＤＰＦ９をより詳細に示す外観斜視図、図７Ｂはその内部構造を概略的に示す構成図である。
【００７０】
このプリンタ一体型ＤＰＦ９は、住所録を作成するとともに葉書などの文面や所望の文書を編集し、葉書の宛名印刷及び葉書の文面を印刷したり、文書を印刷したりするワードプロセッサ（以下、ワープロという）機能を有している。また、このプリンタ一体型ＤＰＦ９は、デジタルカメラで撮影した写真画像を取り込んで印刷する写真画像の印刷機能を有している。
【００７１】
図５Ａ，Ｂに示すように、このプリンタ一体型ＤＰＦ９は、箱型の装置本体７７を備え、装置本体７７の前面の手前側には、ワープロとして使用する場合に文書データを入力したり編集するために必要な各種のキーや、編集した文書データを印刷するために必要なキーなどが設けられたキーボード７８が設けられている。
【００７２】
このキーボード７８は装置本体７７の本体側部７９の下部に着脱可能に取り付けられており、ワープロとして文書データの入力及び編集を行なうなどのキー入力を行なう場合には、装置本体７７の本体側部７９から取り外し、キーが配置された上面を上向きにして装置本体７７の前部に略水平状態に配置する。
【００７３】
キーボード７８は、基台８１とこの基台８１上に多数配置されたデータ入力キー８２を備えている。そして、キーボード７８は、本体側部７９から取り外しても、キーボード７８と装置本体７７とは、コード８３によって通信上の接続は保たれている。このキーボード７８を使用しない場合には、これを垂直向きに起し、装置本体７７の本体側部７９に当接させて収納する。
【００７４】
また、装置本体７７の前面下部には、装置本体７７内の印刷機構によって印刷された用紙Ｐを装置本体７７外に排出させる排紙口８４が設けられている。また、装置本体７７の本体側部７９には、本体側部７９が図では紙面奥行き方向の向こう側面になるため見えないが、複数種類のメモリカードの挿入が可能なカードスロットが設けられている。
【００７５】
そのカードスロットにメモリカードが挿入されると、メモリカードの端子がカードスロット内のコネクタ端子に接続してメモリカードに記録されている画像データの読取りが可能となるように構成されている。
【００７６】
装置本体７７の上面部には表示パネル収納部８５が設けられている。この表示パネル収納部８５は、装置本体７７が使用されていないときは、表示パネル８６をパネル面８７を下向きにして収納するように構成されている。
【００７７】
図７Ａ、Ｂは、装置本体７７の使用時の状態を示しており、表示パネル８６は、ヒンジ８８を回動軸にして装置本体７７の上方手前に垂直に引き起こされ、さらに手前下方に１８０度引き倒され、図７Ａ，Ｂに示すように、パネル面８７を本体装置７７前方に向けて位置固定される。
【００７８】
表示パネル８６のパネル面８７は液晶表示面からなり、この液晶表示面には、キーボード７８から入力されたデータや各種の設定に必要なメニュー画面、またメモリカードから取り込んだデジタルカメラの写真画像、さらにはこの印刷装置で必要とする各種のデータが表示されるようになっている。
【００７９】
また、このプリンタ一体型ＤＰＦ９の装置本体７７の上部には、装置本体７７の後方側と装置本体７７の上面上方との間で回動可能な取っ手８９が設けられている。この取っ手８９を用いてプリンタ一体型ＤＰＦ９を持ち運びすることが可能になっている。
【００８０】
装置本体７７の背面部には給紙トレイ９１が設けられている。この給紙トレイ９１の上部には開口部が設けられ、その開口部から給紙トレイ９１の内側に印刷用の用紙Ｐを複数枚重ねて収容することができるようになっている。
【００８１】
この給紙トレイ９１の内部には、重ねて収容された用紙Ｐを１枚ずつ装置本体７７内に送り出すピックアップローラ９２が設けられ、このピックアップローラ９２は印刷開始時に図示しない駆動モータにより回転駆動される。
【００８２】
装置本体７７の内部には、ピックアップローラ９２で送り出された用紙Ｐを搬送案内する用紙搬送路９３が設けられている。この用紙搬送路９３の前後（図では左右）には、用紙搬送路９３に沿って装置本体７７内部の背面側から前面側に向けて用紙Ｐを挟んで搬送する給紙ローラ対９４ａ及び９４ｂ並びに排紙ローラ対９５ａ及び９５ｂが配設されている。その用紙搬送路９３の途中にインクジェット方式の印刷機構９６が設けられている。
【００８３】
図８は、印刷機構９６の構成を示す斜視図である。尚、図８には、図７Ｂと同一の構成又は機能部分には、図８と同一の番号を付与して示している。図８に示すように（図７Ｂも参照）、印刷機構９６は、用紙搬送路９３と直交する矢印Ｂで示す方向に往復移動可能に設けられたキャリッジ９７を備えている。
【００８４】
キャリッジ９７には、印字を実行する印字ヘッド９８とインクを収容しているインクカートリッジ９９が取り付けられている。カートリッジ９９は、Ｙ（イエロー）、Ｍ（マゼンタ）、Ｃ（シアン）、Ｋ（ブラック）の各色インクを収容する個別の又は１個で各インク室に分かれた構成をしており、各色インクを吐出するそれぞれのノズルを有する印字ヘッド９８に連結されている。
【００８５】
また、キャリッジ９７は、一方ではガイドレール１０１により滑動自在に支持され、他方では歯付き駆動ベルト１０２に固着している。これにより、印字ヘッド９８及びインクカートリッジ９９は、キャリッジ９７と共に、図の両方向矢印Ｂで示す用紙搬送路９３と直交する方向、つまり印字の主走査方向に往復駆動される。
【００８６】
この印字ヘッド９８と装置本体７７の後述する制御装置との間には、フレキシブル通信ケーブル１０３が接続されている。このフレキシブル通信ケーブル１０３を介して制御装置から印字データと制御信号が印字ヘッド９８に送出される。
【００８７】
この印字ヘッド９８に対向し、印字ヘッド９８の上記主走査方向に延在して、装置本体７７のフレーム１０４の下端部に上述した用紙搬送路９３の一部を構成するプラテン１０５が配設されている。
【００８８】
このプラテン１０５に接して用紙Ｐが給紙ローラ対９４ｂ、９４ａ（下のローラ９４ａは用紙Ｐの陰になっていて図では見えない）と排紙ローラ対９５ｂ、９４ａ（下のローラ９５ａは同様に陰になって見えない）により図の矢印Ｃで示す印字副走査方向に間欠的に搬送される。
【００８９】
この用紙Ｐの間欠搬送の停止期間中に、印字ヘッド９８は、モータ１０６により歯付き駆動ベルト１０２及びキャリッジ９７を介して駆動されながら、用紙Ｐに近接した状態でインク滴を噴射して紙面に印字する。このように用紙Ｐの間欠搬送と印字ヘッド９８による往復移動時の印字との繰り返しによって用紙Ｐの全面に印字（印刷）が行われる。
【００９０】
所定の画像を印刷された用紙Ｐは、図７Ｂに示す用紙搬送路９３の下流側に位置する排紙口８４から装置本体７７外に排出される。尚、図７Ｂに示すように、用紙搬送路９３の下方の用紙搬入口に近接する位置に用紙の種類を検出する用紙種類検出センサ１０７が配設されている。
【００９１】
このプリンタ一体型ＤＰＦ９では、用紙Ｐとして、葉書用紙やＬ判の写真用紙の他に台紙上にシール紙をマトリクス状に配置してなるシール用紙などが使用される。このシール用紙には、そのシール紙に縮小画像を印刷される。
【００９２】
また、このシール用紙は、台紙が薄く多数のシール紙に分割されているため、腰が弱い。このシール用紙には用紙種類検出のためのマークが付されている。そのマークを上述した用紙種類検出センサ１０７によって読取ることができるようになっている。
【００９３】
図９は、上記のプリンタ一体型ＤＰＦ９の制御装置を含む回路ブロック図である。図９に示すように回路ブロックは、ＣＰＵ（central processing unit)１１０を中心にして、このＣＰＵ１１０に、それぞれデータバスを介してＲＯＭ（read only memory）１１１、ＲＡＭ(Random Access Memory)１１２が接続されている。
【００９４】
上記のＲＯＭ１１１には、システムプログラムが記憶されている。ＣＰＵ１１０は、このシステムプログラムに従って、ＣＰＵ１１０に接続されている他の回路ブロックを介し、プリンタ一体型ＤＰＦ９の各部を制御する。
【００９５】
他の回路ブロックとしては、画像変換処理部１１３、キーボード７８、ネットワーク（外部）データ入出力部１１４、表示部１１５、プリンタコントローラ１１６、変換コード比較部１１７、用紙種類検出センサ１０７、読取制御部１１８等がＣＰＵ１１０に接続されている。
【００９６】
画像変換処理部１１３は、表示パネル８６のパネル面８７に表示中又はＲＡＭ１１２等に記憶する写真画像データ（元画像）を絵画調に変換するＤＡＦ機能を備えている。そして、この変換画像データを他の印刷装置に送信して印刷指示をだす場合には、変換画像に対応する変換コードを画像データに付加する処理を行う。
【００９７】
ネットワーク（外部）データ入出力部１１４は、画像データとその画像データに関る印刷コマンドを、無線ＬＡＮルータ３を介して他の無線送受信装置付きの機器、例えば、ＤＰＦ１、又は電子写真プリンタ６の外付け無線ＬＡＮ通信装置５との間で入出力する。
【００９８】
また、同じく無線ＬＡＮルータ３を介して、ノートパソコン８、又はパーソナルコンピュータ４から画像データと印刷コマンドを受信し、又はインクジェットプリンタ７に対して画像データと印刷コマンドを送信する。
【００９９】
表示部１１５には表示パネル８６が接続されている。表示部１１５は表示パネル８６のパネル面に表示される画像の表示出力を制御する。プリンタコントローラ１１６には印刷機構９６が接続されている。
【０１００】
プリンタコントローラ１１６は、印刷すべき画像データに従ってフレキシブル通信ケーブル１０３を介して印字ヘッド９８のインクの吐出を制御すると共に、モータ１０６の駆動によりキャリッジ９７の往復移動を制御し、給紙ローラ対９４ａ、９４ｂ及び排紙ローラ対９５ａ、９５ｂの駆動により用紙Ｐの副走査方向への搬送を制御する。
【０１０１】
このプリンタ一体型ＤＰＦ９は、通常印刷とは異なる後述する特定の印刷処理を行うＤＡＦモードを備えており、このＤＡＦモードに対応する画像変換のための各種の変換コードをＲＯＭ１１１の所定領域に記憶している。
【０１０２】
変換コード比較部１１７は、他の機器から自装置（プリンタ一体型ＤＰＦ９）宛に送信された画像データに添付されているコマンドに、印刷機構９６で印刷すべき画像データが元画像から変換された変換画像データであることを示す変換コードが含まれているとき、その変換コードとＲＯＭ１１１に記憶している変換コードとを比較して、受信した変換画像データがどの種類の変換画像データであるかを検出する。
【０１０３】
読取制御部１１８には、図７Ａ，Ｂでは陰になって見えなかった複数種類のメモリカードの装着部（カードスロット）１１９が接続されている。読取制御部１１８は、カードスロット１１９に装着されたメモリカードの画像データを読み出してＣＰＵ１１０に送信する。
【０１０４】
図１０は、電子写真プリンタ６の一次転写部において感光体ドラム３７と転写ベルト４４の速度差でトナーの塗布量が変化する例を説明する図表である。トナーの塗布量を変化させる方法は、絵画調の画像などで絵の具の盛り上げ感を出すときに使用される。
【０１０５】
トナーの塗布量を変化させる方法としては、トナーを二度塗りすることによってもできるが、図１０に示すように、転写ベルト４４の線速度に対して感光体ドラム３７の周面速度を相対的に速くすることでもトナーの盛り上げができる。
【０１０６】
図１０は、標準状態時の設定条件及び結果を「１」としたときの以下に述べる試験例１〜４及び比較例の各設定条件と現像結果の比率を一覧にして示す図表である。
【０１０７】
これより先立つ発明で、本発明の出願人は、トナーの現像量（現像密度）の検討を行うなかで、感光ドラムの周速度に対して一次転写ベルトの線速度を遅くしたところ、感光ドラムの周速度と一次転写ベルトの線速度の比率に比例して一次転写ベルト上のトナー現像量が増加することを発見した。
【０１０８】
そこで、試験例１として、電子写真プリンタ６の感光ドラム３７の周速度と転写 ベルト４４の線速度の比率に対応してトナー現像量が変化する現象を追試詳細に調査すべく、普通紙を用い、モノクロ印字モードにて印字試験を行った。
【０１０９】
ここで標準の印字条件は、感光体ドラム３７の周速度を１３６ｍｍ／ｓ（３０ｐｐｍ）、転写ベルト４４の線速度を１３６ｍｍ／ｓ、定着部の用紙搬送速度を同じく１３６ｍｍ／ｓ、印字パターンは長方形のベタ印字とした。
【０１１０】
この標準印字では、トナー現像量の厚みは１０μｍ程度あるいはそれ以下であった。そこで、感光体ドラム３７の周速度のみを変えてみた。尚、この場合、感光体ドラム３７の周速度に応じて感光体ドラム３７への露光量も比例して増減させ、また、定着部の用紙搬送速度に応じて給紙部の給紙速度も比例して増減させるように設定した。
【０１１１】
そして、感光体ドラム３７の周速度のみを標準状態時の速度に対して１１２％の速さ（１５２ｍｍ／ｓ）に設定し、長方形のベタ印字を行った。その結果、トナー現像量が標準状態時の１１７％に増加した。
【０１１２】
次に、試験例２として、転写ベルト４４の線速度と定着部の用紙搬送速度のみを標準状態時の５０％の速度（７６ｍｍ／ｓ）に落とし、他は標準状態時の設定条件で印字試験を行った。その結果、トナー現像量が標準状態時の１９８％に増加した。
【０１１３】
更に、試験例３として、転写ベルト４４の線速度と定着部の用紙搬送速度を標準状態時の３３％の速度（５１ｍｍ／ｓ）に落とし、他は標準状態時の設定条件で印字試験を行った。その結果、トナー現像量が標準状態時の２９５％に増加した。
【０１１４】
尚、電子写真プリンタ６図５に示したように、転写ベルト４４への転写と、定着前の用紙への二次転写（二次転写ローラ５６による転写）と、転写動作が２回発生する。
【０１１５】
そのため、転写ベルト４４と定着前の用紙（二次転写ローラ５６）の搬送速度との速度比を変えることもできる。
【０１１６】
これに基づいて、試験例４として、転写ベルト４４の線速度を標準状態時の３３％の速度（５１ｍｍ／ｓ）に落とし、定着部の用紙搬送速度を標準状態時の１７％の速度にして、印字試験を行った。
【０１１７】
その結果、トナー現像量は標準状態時の２９５％であり、実施例３と同様であったが、印字面積が実施例３の１／２になり、トナー現像密度としては、実施例３と比較して２倍、すなわち、標準状態と比較して５９０％に増加した。
【０１１８】
ここで、試みに比較例として、感光体ドラム３７の周速度のみを標準状態の８８％の速度（１２０ｍｍ／ｓ）に落とし、他は標準状態時の設定条件で印字試験を行った。その結果、トナー現像量が標準状態時の８９％に減少した。
【０１１９】
よって、図１０の図表の試験例１〜３に示す通り、感光体ドラム３７の周速度に対して転写ベルト４４の線速度を遅くすることにより、トナーの現像量すなわち現像密度を、標準状態時の場合に対して速度比に応じて増加させることが出来た。
【０１２０】
ところで、上記の試験例１〜４に示すように、感光体ドラムの周速度と印字媒体の搬送速度が大きく異なると、感光体ドラム（又は中間転写ベルト）から印字媒体に転写される画像に副走査方向の歪みが生じる。
【０１２１】
具体的には、通常の形状で感光体ドラム上に現像されたトナー像は、印字媒体の搬送方向すなわち副走査方向に縮んだ状態で転写される。
【０１２２】
このことを考慮して、試験例１〜４においては、感光体ドラム３７に現像されるベタ画像は、副走査方向に対し感光体ドラム３７の周面速度と転写ベルト４４の線速度との差分に応じた伸長度で現像される。
【０１２３】
すなわち、副走査方向に対して伸びた状態で現像される。これにより、相対的に速度の遅い転写ベルト４４には、通常のベタ画像が印刷される。
【０１２４】
ところで、図１に示した画像印刷システムは、基本構成として、左上のＤＰＦ１と、右下のプリンタ一体型ＤＰＦ９と、左中段の電子写真プリンタ６から成っている例を示している。
【０１２５】
この画像印刷システムにおいて、写真画像データを他の印刷装置に送信するときに、元画像そのものに相当する画像データではなく、元画像データに対して変換された変換画像データとして印刷指示をだす場合には、変換した旨を示すコード、つまり変換画像に対応する変換コードを画像データに付加して印刷側に送信することは前述した。
【０１２６】
印刷側ではその変換コードを識別して、しかるべき印刷処理を実行する。この印刷処理については、他の先行技術にもあるように、定着圧や温度制御により光沢度（グロス値）を下げる。絵の具の盛り上げを表現する場合はトナーの２度塗り、又は発泡性トナーを用いる。つや消し感を出すときはマットトナーを用いたり、定着圧と定着温度を低くする等々が考えられる。
【０１２７】
図１１は、上記のような変換画像の種類に望ましい印刷装置側の印刷条件の設定例を説明する図表である。同図表には、左端に縦３段に「油絵」、「パステル」、「水彩画」と３種類の画調を示している。
【０１２８】
そして、それらの右には「厚」、「普通」、「薄」と印刷時におけるトナー量の設定状態が対応付けられている。このトナー量の設定では種々の方法があり、上に括弧内に示すように、転写速度、発泡性トナー、マットトナー、透明又は灰色トナー等が使用される。
【０１２９】
転写速度とは、図１０で説明したように、転写ベルト４４の線速度に対して感光体ドラム３７の周面速度を相対的に速くすることで画像内の所望の位置のトナーを盛り上げる（厚くする）方法の場合を指している。
【０１３０】
発泡性トナーとは、透明の発泡性トナーで画像内の所望の位置を印刷し、その上に３色又は黒も交えた４色の色トナーでカラー画像を重ね転写し、定着時に発泡性トナーが発泡して色トナー像を盛り上げる（厚くする）方法の場合を指している。
【０１３１】
マットトナーは、例えば文字印刷のように、光沢を持った印刷が好まれない場合に使用される光沢のあまり出ないトナーであり、写真画像から変換した例えば水彩画の画調を得る場合等に用いられる。
【０１３２】
透明または灰色トナーは、例えばキャンバスの地の形状を画像面に浮き立たせる効果を得るときなどに使用される。
【０１３３】
同図表の更に右側には、「厚」、「普通」、「薄」のそれぞれに対応して、マットトナーを用いた場合の定着時の「定着圧」と「定着温度」を、通常の写真画像の印刷時の定着条件を基準としたときよりも、それぞれ低く設定されることが示されている。
【０１３４】
図１２(a)は、街路をケーブルカーが運行している街並みの写真であり、同図(b)はその写真データを水彩画調に変換された変換画像データを印刷した場合の例を示す図である。パステル画はアート紙を用いて重厚な絵の具使いで描かれる場合が多いが、水彩画は特に和紙を用いて描かれたものには、味わいのある画調が出るようである。
【０１３５】
図１３(a),(b),(c)は、それぞれ和紙の風合いを示している。これは写真画像が水彩画調に変換され、その水彩画調に変換された変換画像を印刷する際に、和紙に描かれた水彩画の風合いを表現するためにオーバーレイ印刷される背景画像データの例である。このような背景画像データは本例の画像印刷装置の記憶装置に複数種類が記憶されている。 
【０１３６】
図１４(a),(b)は油絵に使用されるキャンバス地の織り組織の形状を拡大して示す図である。織布の基本的な三大組織としては、平織り、綾織り（斜文織り）、朱子織りがある。キャンバス地には古くは綾織りも使用された。しかし、現在では殆ど平織が主体となっている。図１４(a),(b)はそれぞれ平織と綾織の組織を拡大して示している。
【０１３７】
図１４(a)に示す平織りは、経糸２０１と緯糸２０２が１本おきに上下に交差する最も単純な織り方で、織りの交点が多くなり丈夫な生地になる。ただし、織布の強弱は使用する糸の太さや打ち込み数にもよる。例えば帆布は糸が太く且つ打ち込みが密であって頑丈である。ガーゼは糸が細く打ち込みは疎であって、指で容易に切り裂くことができる。
【０１３８】
図１４(b)に示す綾織りは、経糸２０１と緯糸２０２がそれぞれ数本（図では２本）飛びで交差する織り方で、布一面に斜めの模様ができる。糸の飛び方によって模様も異なる。平織りよりも生地が厚くなる傾向がある。一般にはコート地と用いられる場合が多い。
【０１３９】
キャンバス地としては、ヴェネツィア派の画家に綾織りを好んで使用した例があるという。特に凹凸の大きい方（綾織りは面と裏で凹凸の度合いが異なる）を表にして使っていたということであり、ヴェネツィア派の画家は、織り目が持つ魅力を認識していたと言える。
【０１４０】
図１５は、麻布のキャンバス地の風合いを示している。これは写真画像が油絵調に変換され、その油絵調に変換された変換画像を印刷する際に、麻布のキャンバス地に描かれた油絵の風合いを表現するためにオーバーレイ印刷される背景画像データの一例である。このような背景画像データは本例の画像印刷装置の記憶装置に複数種類が記憶されている。
【０１４１】
キャンバスは一定間隔に何本の糸があるかという打ち込み本数と、糸の太さによって「細目」、「中目」、「荒目」と分類される。実際には更に細かく、極細目、中細目、極荒目などと分類されて販売されている。
【０１４２】
一般的には荒目の方が糸が太く丈夫である。したがって、大画面に向いているとされる。また、荒目のキャンバスは、糸が太いから表面の凹凸が大きく、光が乱反射し、艶消しの渋い絵肌になる傾向がある。ただし表面の凹凸が大きいので細密描写には向かない。
【０１４３】
これに対して、荒目から細目に向かうほど布地の強度は落ちる。したがって細目のキャンバスは大画面には向かない。ただし細目は表面の凹凸が小さくより平滑で、細密な描画に向いている。また、細目のキャンバスは、凹凸が小さいから、光が正反射して光沢感のある画面になる。
【０１４４】
本例においける画像印刷装置では、上記のような荒目から細目に至るキャンバス画の画調に変換された変換画像に対しては、図１５に示すオーバーレイ印刷される背景画像データ（以下、付加画像データという）と、図１０、図１１に示したトナーの種類とその転写方法を変更することにより、変換された変換画像の画調に対応した印刷画像となるように、特別な印刷モードにて印刷すべく制御される。
【０１４５】
この特別印刷モードにおける付加画像データのオーバーレイ印刷では、変換画像に対して印刷媒体上で重ね印刷される。具体的には、用紙を印刷部に二回通して印刷する、又はタンデム画像形成装置の場合には、例えば１箇所の画像形成部を重ね印刷用の箇所にするなどである。
【０１４６】
この場合、付加画像データの画像を１回目に印刷した後に、２回目に表示画像（変換画像）を印刷するか、逆に表示画像を１回目に印刷してから、その上に付加画像データの画像を２回目として印刷するかは、どちらでも良い。
【０１４７】
図１６は、上記のように構成される図１に示す表示画像印刷システムにおける送信側の処理動作を示すフローチャートである。ここで送信側とは、ＤＰＦ１、プリンタ一体型ＤＰＦ９等である。パーソナルコンピュータ４やノートパソコン８も含めてもよい。
【０１４８】
図１７は、上記のように構成される図１に示す表示画像印刷システムにおける受信側の処理動作を示すフローチャートである。ここで受信側とは、電子写真プリンタ６、プリンタ一体型ＤＰＦ９、インクジェットプリンタ７等である。
【０１４９】
前述したように、これら電子写真プリンタ６、プリンタ一体型ＤＰＦ９、インクジェットプリンタ７等の画像印刷装置のＥＥＰＲＯＭ７２、ＲＡＭ１１等の記憶装置には、図１３(a),(b),(c)に示した和紙を表す付加画像データや、図１４、１５に示したキャンバス地を表す各種の付加画像データが予め記憶されている。
【０１５０】
先ず、図１６において、送信側で処理が開始されると、ＤＰＦ１のＣＰＵ１８又はプリンタ一体型ＤＰＦ９のＣＰＵ１１０等（以下、送信側ＣＰＵという）は、表示画像データが元画像（デジタルカメラで撮影された写真画像データ）から画像変換されているか否か判別する（ステップＳ１）。
【０１５１】
そして、画像変換されている場合は（Ｓ１の判別がＹｅｓ）、送信側ＣＰＵは、その画像変換に対応する変換コードを表示画像データに付加して、その変換コードを付加した表示画像データを印刷画像データとし（ステップＳ２）、その印刷画像データを送信先に送信する（ステップＳ３）。
【０１５２】
他方、上記ステップＳ１の判別で、画像変換されていないときは（Ｓ１の判別がＮｏ）、送信側ＣＰＵは、表示画像データをそのまま又は表示画像データに変換コード「０」を付加して印刷画像データとし（ステップＳ４）、その印刷画像データを送信先に送信する（ステップＳ３）。
【０１５３】
次に、図１７において、表示画像印刷システムに参加すると、電子写真プリンタ６のＣＰＵ６５、又はプリンタ一体型ＤＰＦ９のＣＰＵ１１０、又はインクジェットプリンタ７の不図示のＣＰＵ等（以下、受信側ＣＰＵという）は、通常の印刷処理か特殊な印刷処理かを選択可能な処理モードを設定する（ステップＳ１１）。
【０１５４】
続いて、受信側ＣＰＵは、外付け無線ＬＡＮ通信装置５、又は内蔵の無線ＬＡＮ通信装置、又は無線ＬＡＮルータ３とインターネット／イントラネット２を介して印刷データを受信する（ステップＳ１２）。
【０１５５】
そして、受信側ＣＰＵは、受信した印刷データの中の印刷画像データが元画像から画像変換されているか否かを判別する（ステップＳ１３）。この判別処理では、印刷データに変換コードが付加されているか否か、付加されているとすれば、その変換コードは「０」か「０」以外の値であるかを判別する処理である。
【０１５６】
上記の判別で、印刷データに変換コードが付加されていない、又は付加されているがその変換コードが「０」である場合は（Ｓ１３の判別がＮｏ）、受信側ＣＰＵは、通常の印刷処理をプリンタコントローラに指示して（ステップＳ１６）、印刷を開始する（ステップＳ１５）。
【０１５７】
一方、上記ステップＳ１３の判別で、印刷データに変換コードが付加されていて、その変換コードが「１」以上の値であるときは（Ｓ１３の判別がＹｅｓ）、受信側ＣＰＵは、その変換コードに基づいた印刷処理をプリンタコントローラに指示する（ステップＳ１４）。
【０１５８】
この印刷処理の指示では、変換コードに応じて下記のような指示が出力される。すなわち、「付加画像データとオーバーレイさせて印刷画像データ（変換画像データ）を重ね印刷する」指示が出される。
【０１５９】
更に、印刷画像データ（変換画像データ）の印刷に対しては「透明トナー又は薄い灰色トナー、発泡性トナー、又はマットトナーを用い」、「トナーセーブ」又は「トナーを盛り上げて立体的に厚塗りで」又は「トナーを間引いて」又は「バイアス制御で」又は「ベタ定着しないで」印刷するように指示する。
【０１６０】
尚、透明又は薄灰色のマットトナーによるベタ画像を重ね印刷すると全体をつや消し画像とすることができる。もちろん、重ね印刷ではなく、各色別にマットトナーを用いて印刷するようにしても、つや消し画像とすることができる。
【０１６１】
また、透明又は薄灰色の発泡性トナーによるベタ画像を重ね印刷すると全体に凹凸感のある画像とすることができる。尚、インクジェットプリンタの場合は発泡性インクを用いる。発泡性インクはインク滴が紙面に着弾後に自動的に発泡して盛り上がる。
【０１６２】
また、トナーセーブでは、感光体ドラムへの露光強度を低くして現像トナー量を少なくし、全体を薄く印刷する。また、トナーを盛り上げて立体的に厚塗りすると油絵の立体的な画調が出る。このトナーの厚塗りでは、トナーの二重塗り又は速度差で所望の部分を厚塗りする。
【０１６３】
また、トナーを間引くとは、所定間隔で画素を非印字に設定するものであり、色調を変えず全体の濃度が下がるので、水彩画の画調を表すことができる。また、バイアス制御はトナー量を全体的に厚くする又は薄くするために現像ローラに印加するバイアス電圧を基準よりも強弱いずれかへ制御するモードの印刷である。
【０１６４】
また、ベタ定着しない印刷とは、定着時の定着圧を基準よりも弱くして写真のような光沢が出ないようにし、印刷画像を絵画調で表すための印刷モードである。このような印刷モードの指示がプリンタコントローラに出力される。そして、受信側ＣＰＵは、印刷を実行する（ステップＳ１５）。
【０１６５】
以上説明したように、本発明は、ＤＡＦで絵画調変換した画像を印刷するＤＡＦ対応画像印刷装置に好適に用いられる画像印刷装置を提供するものであり、所定の変換処理をされた画像の印刷時に、その印刷に適した印刷モードを備えるものである。
【０１６６】
すなわち、本発明の画像印刷装置は、予め所定の背景（白地部）画像としての付加画像データ（図１３(a),(b),(c)、図１４(a),(b)、図１５参照）を薄い画像（例えば極めて薄い灰色画像）として記憶装置に登録してある。
【０１６７】
これを基に、例えばＤＡＦ側で油絵調に変換した画像の印刷時には、ＤＡＦ側からの信号を判別して手動で又は自動的に、油絵のキャンバスの背景である布模様を重ねて印刷する。また、水彩画や水墨画の印字の場合には、画用紙や和紙模様を重ねて印刷する。
【０１６８】
このように、本発明の画像印刷装置によれば、絵画調変換したような画像はその表示に相応しい光沢度や質感の印刷を得られてデジタル写真の楽しみ方の倍増に寄与できる。特に、絵画調変換識別と印刷処理を連携させるので格別な操作をすることなく印刷物がより所望の画像に近い状態で形成される。
【産業上の利用可能性】
【０１６９】
本発明は、デジタル写真を絵画調の画像に変換して表示する特殊な機能を有するデジタルフォトフレームの表示画像を印刷出力する表示画像印刷装置に利用することができる。
【符号の説明】
【０１７０】
１  ＤＰＦ
２  インターネット／イントラネット
３  無線ＬＡＮルータ
４  パーソナルコンピュータ
５  外付け無線ＬＡＮ通信装置
６  電子写真プリンタ
７  インクジェットプリンタ
８  ノートパソコン
９  プリンタ一体型ＤＰＦ
１１  フレーム
１２  デジタル画像表示部
１３（１３ａ、１３ｂ、１３ｃ）  操作ボタン
１４  画像処理部
１５  メモリカード装着部
１６  支え棒（支え板）
１７  リモートコントローラ
１８  ＣＰＵ(central processing unit）
１９  表示制御部
２１  ＲＯＭ(read only memory)
２２  ＲＡＭ(Random Access Memory)
２３  ネットワーク（外部）データ入出力部
２４  読取制御部
２５  操作制御部
２６  前方に取っ手
２７  前扉
２８  給紙カセット
２９  排紙トレー
３０  表示パネル
３１  操作部
３２  画像形成部
３３  中間転写ベルトユニット
３４  給紙部
３５  両面印刷用搬送ユニット
３６（３６Ｍ、３６Ｃ、３６Ｙ、３６Ｋ）  画像形成ユニット
３７  感光体ドラム
３８  クリーナ
３９  帯電ローラ
４１  光書込ヘッド
４２  現像キット
４３  現像ローラ
４４  転写ベルト
４５  駆動ローラ
４６  従動ローラ
４７  ベルト位置制御機構
４８  一次転写ローラ
４９  供給ローラ
５１  廃トナー回収容器
５２  用紙取出ローラ
５３  給送ローラ
５４  捌きローラ
５５  待機搬送ローラ対
５６  二次転写ローラ
５７  ベルト式熱定着装置
５８  搬出ローラ対
６１  排紙ローラ対
６２ａ  開始返送路
６２ｂ  中間返送路
６２ｃ  終端返送路
６３ａ、６３ｂ、６３ｃ、６３ｄ  返送ローラ対
６４  クリーニング部
６５  ＣＰＵ（central processing unit)
６６  データ入出力部
６７  変換コード比較部
６８  プリンタ制御部
６９  プリンタ印字部
７１  ＲＯＭ（read only memory）
７２  ＥＥＰＲＯＭ（electrically erasable programmable ROM）
７３  フレームメモリ
７４  現像部
７５  定着部
７６  ベルト駆動部
７７  装置本体
７８  キーボード
７９  本体側部
８１  基台
８２  データ入力キー
８３  コード
８４  排紙口
Ｐ  用紙
８４  排紙口
８５  表示パネル収納部
８６  表示パネル
８７  パネル面
８８  ヒンジ
８９  取っ手
９１  給紙トレイ
９２  ピックアップローラ
９３  用紙搬送路
９４ａ、９４ｂ  給紙ローラ対
９５ａ、９５ｂ  排紙ローラ対
９６  印刷機構
９７  キャリッジ
９８  印字ヘッド
９９  インクカートリッジ
１０１  ガイドレール
１０２  歯付き駆動ベルト
１０３  フレキシブル通信ケーブル
１０４  フレーム
１０５  プラテン
１０６  モータ
１０７  用紙種類検出センサ
１１０  ＣＰＵ（central processing unit)
１１１  ＲＯＭ（read only memory）
１１２  ＲＡＭ(Random Access Memory)
１１３  画像変換処理部
１１４  ネットワーク（外部）データ入出力部
１１５  表示部
１１６  プリンタコントローラ
１１７  変換コード比較部
１１８  読取制御部
１１９  メモリカードの装着部（カードスロット）
２０１  縦糸
２０２  横糸
【図３】
0005454419.tif 000002
【図６】
0005454419.tif 000003
【図９】
0005454419.tif 000004
【図１０】
0005454419.tif 000005
【図１１】
0005454419.tif 000006
【図１６】
0005454419.tif 000007
【図１７】
0005454419.tif 000008
【図１】
0005454419.tif 000009
【図２】
0005454419.tif 000010
【図４】
0005454419.tif 000011
【図５】
0005454419.tif 000012
【図７Ａ】
0005454419.tif 000013
【図７Ｂ】
0005454419.tif 000014
【図８】
0005454419.tif 000015
【図１２】
0005454419.tif 000016
【図１３】
0005454419.tif 000017
【図１４】
0005454419.tif 000018
【図１５】
0005454419.tif 000019